(57)【要約】【課題】  本考案は、ベッドへの取付作業を容易に行うことができるリクライニング装置を提供することを目的とする。【解決手段】  左側及び右側外枠５０Ａ及び５０Ｂと、外側及び内側連結枠７０Ａ及び７０Ｂと、左側及び右側内枠６０Ａ及び６０Ｂとを有するリクライニングフレーム４０と、左側及び右側内枠６０Ａ及び６０Ｂに回動可能に連結された左側及び右側アーム８０Ａ及び８０Ｂと、左側及び右側アーム８０Ａ及び８０Ｂに固着された支持板９０とを備える。【選択図】  図１
0003216462.tif 000002
【実用新案登録請求の範囲】
【請求項１】
矩形棒状に形成され、かつ複数のベッド片からなるベッドの幅より短い間隔でそれぞれ平行に配置された左側及び右側ベッドフレーム上に、隣り合う前記ベッド片同士をそれぞれ互いに接触させるようにして載置された前記ベッドの傾斜角度を調整及び固定するリクライニング装置において、
前記左側及び右側ベッドフレームとそれぞれ嵌合させるため、断面が凹型形状に形成された棒状の左側及び右側外枠と、
前記左側及び右側外枠の間隔に対応する長さを有し、前記左側及び右側外枠のベッド片起立側端部を連結するようにして、前記左側及び右側外枠の間に架設された外側連結枠と、
前記左側及び右側外枠の間隔に対応する長さを有し、前記左側及び右側外枠の非ベッド片起立側端部から、前記ベッド片の厚さより長い距離だけ離間した部分を連結するようにして、前記左側及び右側外枠の間に架設された内側連結枠と、
前記外側及び内側連結枠の間隔に対応する長さを有し、前記外側及び内側連結枠の中央部付近を連結するようにして、前記外側及び内側連結枠の間にそれぞれ架設された左側及び右側内枠と
を有するリクライニングフレームと、
前記左側及び右側内枠のうち、前記内側連結枠との連結部分付近に回動可能に連結され、傾斜角度を段階的に調整した上で固定するための左側及び右側アームと、
前記左側及び右側アームに固着され、前記複数のベッド片のうち、一端に配置されたベッド片であって、かつ前記リクライニングフレーム上に配置された前記ベッド片を支持するための支持板と
を備え、
前記左側及び右側内枠は、
前記ベッドの幅方向における前記支持板の長さより短い距離だけ離間するようにして、前記外側及び内側連結枠の間にそれぞれ架設された
ことを特徴とするリクライニング装置。
【考案の詳細な説明】
【技術分野】
【０００１】
本考案は、リクライニング装置に関する。
【背景技術】
【０００２】
従来、ベッドの傾斜角度を調整するためのリクライニング装置として、種々のリクライニング装置が開発及び提案されている。
【考案の概要】
【考案が解決しようとする課題】
【０００３】
本考案は、ベッドへの取付作業を容易に行うことができるリクライニング装置を提供することを目的とする。
【課題を解決するための手段】
【０００４】
本考案の一態様によるリクライニング装置は、
矩形棒状に形成され、かつ複数のベッド片からなるベッドの幅より短い間隔でそれぞれ平行に配置された左側及び右側ベッドフレーム上に、隣り合う前記ベッド片同士をそれぞれ互いに接触させるようにして載置された前記ベッドの傾斜角度を調整及び固定するリクライニング装置において、
前記左側及び右側ベッドフレームとそれぞれ嵌合させるため、断面が凹型形状に形成された棒状の左側及び右側外枠と、
前記左側及び右側外枠の間隔に対応する長さを有し、前記左側及び右側外枠のベッド片起立側端部を連結するようにして、前記左側及び右側外枠の間に架設された外側連結枠と、
前記左側及び右側外枠の間隔に対応する長さを有し、前記左側及び右側外枠の非ベッド片起立側端部から、前記ベッド片の厚さより長い距離だけ離間した部分を連結するようにして、前記左側及び右側外枠の間に架設された内側連結枠と、
前記外側及び内側連結枠の間隔に対応する長さを有し、前記外側及び内側連結枠の中央部付近を連結するようにして、前記外側及び内側連結枠の間にそれぞれ架設された左側及び右側内枠と
を有するリクライニングフレームと、
前記左側及び右側内枠のうち、前記内側連結枠との連結部分付近に回動可能に連結され、傾斜角度を段階的に調整した上で固定するための左側及び右側アームと、
前記左側及び右側アームに固着され、前記複数のベッド片のうち、一端に配置されたベッド片であって、かつ前記リクライニングフレーム上に配置された前記ベッド片を支持するための支持板と
を備え、
前記左側及び右側内枠は、
前記ベッドの幅方向における前記支持板の長さより短い距離だけ離間するようにして、前記外側及び内側連結枠の間にそれぞれ架設された
ことを特徴とする。
【考案の効果】
【０００５】
本考案のリクライニング装置によれば、ベッドへの取付作業を容易に行うことができる。
【図面の簡単な説明】
【０００６】
【図１】本考案の実施の形態によるリクライニング装置の構成を示す分解斜視図、斜視図及び側面図である。
【考案を実施するための形態】
【０００７】
以下、本考案の実施の形態について図面を参照して説明する。
【０００８】
図１に、本考案の実施の形態によるリクライニング装置１０の構成を示す。このうち、図１（ａ）は、リクライニング装置１０を背面側斜め上方から視認した場合の分解斜視図を示し、図１（ｂ）は、リクライニング装置１０を背面側斜め上方から視認した場合の斜視図を示し、図１（ｃ）は、リクライニング装置１０を側方から視認した場合の側面図を示す。
【０００９】
本実施の形態の場合、リクライニング装置１０を取り付けるベッドとして、複数のベッド片２０Ａ〜２０Ｎからなるベッド２０を用意する。このベッド２０は、隣り合うベッド片２０Ａ〜２０Ｎ同士をそれぞれ互いに接触させるようにして配置することにより構成される。
【００１０】
また、断面が矩形状に形成された棒状の左側及び右側ベッドフレーム３０Ａ及び３０Ｂを用意する。これら左側及び右側ベッドフレーム３０Ａ及び３０Ｂは、その間隔がベッド２０の幅より短くなるようにそれぞれ平行に配置され、当該左側及び右側ベッドフレーム３０Ａ及び３０Ｂ上にベッド２０が載置される。
【００１１】
リクライニング装置１０は、ベッド２０を構成する複数のベッド片２０Ａ〜２０Ｎのうち、一端に配置されたベッド片２０Ａに取り付けられる。
【００１２】
本実施の形態の場合、リクライニング装置１０は、リクライニングフレーム４０を有する。リクライニングフレーム４０は、左側及び右側外枠５０Ａ及び５０Ｂと、左側及び右側内枠６０Ａ及び６０Ｂと、外側及び内側連結枠７０Ａ及び７０Ｂとを有する。
【００１３】
左側外枠５０Ａは、左側ベッドフレーム３０Ａと嵌合させるため、断面が凹型形状になるようにして、棒状に形成されている。同様に、右側外枠５０Ｂも、右側ベッドフレーム３０Ｂと嵌合させるため、断面が凹型形状になるようにして、棒状に形成されている。
【００１４】
外側連結枠７０Ａは、左側外枠５０Ａと右側外枠５０Ｂの間隔に対応する長さを有し、左側及び右側外枠５０Ａ及び５０Ｂのベッド片２０Ａ起立側端部（すなわち外側端部）を連結するようにして、左側外枠５０Ａと右側外枠５０Ｂの間に架設されている。
【００１５】
内側連結枠７０Ｂは、左側外枠５０Ａと右側外枠５０Ｂの間隔に対応する長さを有し、左側及び右側外枠５０Ａ及び５０Ｂの非ベッド片２０Ａ起立側端部（すなわち内側端部）から、ベッド片２０Ａの厚さより長い距離だけ離間した部分を連結するようにして、左側外枠５０Ａと右側外枠５０Ｂの間に架設されている。
【００１６】
これにより、左側及び右側外枠５０Ａ及び５０Ｂの非ベッド片２０Ａ起立側端部上には、ベッド片２０Ａに隣接するベッド片２０Ｂが載置されることにより、左側及び右側外枠５０Ａ及び５０Ｂが左側ベッドフレーム３０Ａと右側ベッドフレーム３０Ｂから外れることを防止することができる。
【００１７】
左側及び右側内枠６０Ａ及び６０Ｂは、外側連結枠７０Ａと内側連結枠７０Ｂの間隔に対応する長さをそれぞれ有し、外側及び内側連結枠７０Ａ及び７０Ｂの中央付近であって、かつベッド片２０Ａを支持する支持板９０の長手方向の長さより短い距離だけ離間した部分をそれぞれ連結するようにして、外側連結枠７０Ａと内側連結枠７０Ｂの間にそれぞれ架設されている。
【００１８】
左側内枠６０Ａのうち、内側連結枠７０Ｂとの連結部分付近には、左側アーム８０Ａが回動可能に連結されている。この左側アーム８０Ａは、図示しないラチェット機構を内部に有し、例えば０度〜８０度まで２０度毎に、傾斜角度を段階的に調整及び固定し得るようになされている。
【００１９】
同様に、右側内枠６０Ｂのうち、内側連結枠７０Ｂとの連結部分付近には、右側アーム８０Ｂが回動可能に連結されている。この右側アーム８０Ｂも、図示しないラチェット機構を内部に有し、例えば０度〜８０度まで２０度毎に、傾斜角度を段階的に調整及び固定し得るようになされている。
【００２０】
左側及び右側アーム８０Ａ及び８０Ｂには、ベッド片２０Ａを支持するための支持板９０が固着されている。
【００２１】
このように本実施の形態によれば、ユーザは、リクライニングフレーム４０の左側及び右側外枠５０Ａ及び５０Ｂを左側及び右側ベッドフレーム３０Ａ及び３０Ｂにそれぞれ嵌合させ、例えばネジなどの固定手段を用いて、支持板９０をベッド片２０Ａに固定すれば、リクライニング装置１０をベッド片２０Ａに取り付ける作業を容易に行うことができる。
【００２２】
すなわち、本実施の形態のリクライニング装置１０は、矩形棒状に形成され、かつ複数のベッド片２０Ａ〜２０Ｎからなるベッド２０の幅より短い間隔でそれぞれ平行に配置された左側及び右側ベッドフレーム３０Ａ及び３０Ｂ上に、隣り合うベッド片２０Ａ〜２０Ｎ同士をそれぞれ互いに接触させるようにして載置されたベッド２０の傾斜角度を調整及び固定するリクライニング装置において、左側及び右側ベッドフレームベッドフレーム３０Ａ及び３０Ｂとそれぞれ嵌合させるため、断面が凹型形状に形成された棒状の左側及び右側外枠５０Ａ及び５０Ｂと、左側及び右側外枠５０Ａ及び５０Ｂの間隔に対応する長さを有し、左側及び右側外枠５０Ａ及び５０Ｂのベッド片２０Ａ起立側端部を連結するようにして、左側及び右側外枠５０Ａ及び５０Ｂの間に架設された外側連結枠７０Ａと、左側及び右側外枠５０Ａ及び５０Ｂの間隔に対応する長さを有し、左側及び右側外枠５０Ａ及び５０Ｂの非ベッド片２０Ａ起立側端部から、ベッド片２０Ａの厚さより長い距離だけ離間した部分を連結するようにして、左側及び右側外枠５０Ａ及び５０Ｂの間に架設された内側連結枠７０Ｂと、外側及び内側連結枠７０Ａ及び７０Ｂの間隔に対応する長さを有し、外側及び内側連結枠７０Ａ及び７０Ｂの中央部付近を連結するようにして、外側及び内側連結枠７０Ａ及び７０Ｂの間にそれぞれ架設された左側及び右側内枠６０Ａ及び６０Ｂとを有するリクライニングフレーム４０と、左側及び右側内枠６０Ａ及び６０Ｂのうち、内側連結枠７０Ｂとの連結部分付近に回動可能に連結され、傾斜角度を段階的に調整した上で固定するための左側及び右側アーム８０Ａ及び８０Ｂと、左側及び右側アーム８０Ａ及び８０Ｂに固着され、複数のベッド片２０Ａ〜２０Ｎのうち、一端に配置されたベッド片２０Ａであって、かつクライニングフレーム４０上に配置されたベッド片２０Ａを支持するための支持板９０とを備え、左側及び右側内枠６０Ａ及び６０Ｂは、ベッド２０の幅方向における支持板９０の長さより短い距離だけ離間するようにして、外側及び内側連結枠７０Ａ及び７０Ｂの間にそれぞれ架設された。
【符号の説明】
【００２３】
１０  リクライニング装置
２０  ベッド
３０  ベッドフレーム
４０  リクライニングフレーム
５０  外枠
６０  内枠
７０  連結枠
８０  アーム
９０  支持板
【図１】
0003216462.tif 000003